(57)【要約】【課題】性状若しくは履歴に関する情報を表す文字若しくは符号である表示１１ａ、１１ｂの刻印に拘らず、電食防止性能が低下する事がない構造を実現する。【解決手段】内輪１の内周面及び軸方向両端面に内径側絶縁層９を、外輪３の外周面及び軸方向両端面に外径側絶縁層１０を、それぞれ形成する。上記内輪１の内輪肩部１３の外周面と、上記外輪３の外輪肩部１２の内周面とに、この電食防止用絶縁転がり軸受７の性状若しくは履歴に関する情報を表す文字若しくは符号である表示１１ａ、１１ｂを刻印する。これら両表示１１ａ、１１ｂは、絶縁不要の部分に設けているので、上記課題を解決できる。【選択図】図１
2008020035.tif 000002
【特許請求の範囲】
【請求項１】
内周面に外輪軌道を有する金属製の外輪と、外周面に内輪軌道を有し、この外輪の内径側にこの外輪と同心に配置された金属製の内輪と、この内輪軌道と上記外輪軌道との間に転動自在に設けられた、それぞれが金属製である複数個の転動体とを備え、上記外輪と上記内輪とのうちの少なくとも一方を被覆軌道輪とし、この被覆軌道輪の表面のうちで、上記外輪軌道又は上記内輪軌道である軌道面を設けた軌道側周面以外の面を絶縁層により被覆した電食防止用絶縁転がり軸受に於いて、この軌道側周面の一部で上記軌道面から外れた部分に、当該軌道側周面を有する被覆軌道輪を含む転がり軸受の性状若しくは履歴に関する情報を表す文字若しくは符号を刻印した事を特徴とする電食防止用絶縁転がり軸受。
【請求項２】
各転動体を保持する円環状の保持器を備え、文字若しくは符号は、この保持器により覆われる部分に刻印されている、請求項１に記載した電食防止用絶縁転がり軸受。
【請求項３】
被覆軌道輪に関して、軸方向端面のうちの径方向の一部で軌道面を設けた周面寄り部分に、この軸方向端面よりも軸方向に凹んだ凹入部分が、全周に亙って設けられており、絶縁層は、この軸方向端面からこの凹入部分迄連続して被覆されている、請求項１〜２のうちの何れか１項に記載した電食防止用絶縁転がり軸受。
【請求項４】
軸方向端面と凹入部分との連続部が、頂角が１３５度以下の尖鋭端でなく、この凹入部分の径方向両端縁のうち、軌道面を設けた周面寄りの端縁が、上記軸方向端面よりも、１mm以上軸方向内方に位置している、請求項３に記載した電食防止用絶縁転がり軸受。
【請求項５】
内周面に外輪軌道を有する金属製の外輪と、外周面に内輪軌道を有し、この外輪の内径側にこの外輪と同心に配置された金属製の内輪と、この内輪軌道と上記外輪軌道との間に転動自在に設けられた、それぞれが金属製である複数個の転動体とを備え、上記外輪と上記内輪とのうちの一方の軌道輪のみを被覆軌道輪とし、この被覆軌道輪の表面のうちで、上記外輪軌道又は上記内輪軌道である軌道面を設けた軌道側周面以外の面を絶縁層により被覆し、上記外輪と上記内輪とのうちの他方の軌道輪を、何れの面も絶縁層により覆われていない露出軌道輪とした電食防止用絶縁転がり軸受に於いて、この露出軌道輪の一部表面でこの露出軌道輪の周面に形成した軌道面以外の部分に、この露出軌道輪を含む転がり軸受の性状若しくは履歴に関する情報を表す文字若しくは符号を刻印した事を特徴とする電食防止用絶縁転がり軸受。
【請求項６】
被覆軌道輪のうちで軌道面を設けた周面の一部でこの軌道面から外れた部分に、露出軌道輪の表面に刻印した文字若しくは符号と対応する、第二の文字若しくは符号が刻印されている、請求項５に記載した電食防止用絶縁転がり軸受。
【発明の詳細な説明】
【技術分野】
【０００１】
この発明は、汎用或は鉄道車両用の電動モータの回転軸、或は発電機の回転軸の様に、電流が流れる可能性がある回転支持部に組み込む電食防止用絶縁転がり軸受の改良に関する。
【背景技術】
【０００２】
電動モータや発電機等、各種電気機器等の回転軸を支承する為の転がり軸受の場合、対策を講じないと、転がり軸受自体に、帰路電流、モータ軸電流等の電流が流れてしまう。転がり軸受に電流が流れた場合、電流の通路となる部分の腐食が進む、所謂電食が発生して、転がり軸受の寿命を著しく短縮してしまう。この様な電食の発生を防止する為、転がり軸受を構成する外輪や内輪の表面に絶縁層を形成する事で、転がり軸受に電流が流れない様にする電食防止用絶縁転がり軸受が、例えば特許文献１〜３に記載されている様に、従来から知られている。
【０００３】
これら各特許文献に記載された絶縁型の転がり軸受は何れも、転がり軸受を構成する軌道輪のうちで、相手部材を嵌合支持する部分に、セラミック、合成樹脂等の絶縁層を形成して成るもので、例えば図９に示す様に構成されている。転がり軸受は、内輪１の外周面に形成した内輪軌道２と外輪３の内周面に形成した外輪軌道４との間に複数の転動体５を設ける事で、上記内輪１と外輪３との相対的回転を自在としている。そして、この外輪３の外周面及び軸方向両端面に、合成樹脂層、セラミック溶射層等の絶縁層６を形成している。この様な電食防止用絶縁転がり軸受の場合、特許請求の範囲に記載した被覆軌道輪である、上記外輪３を金属製のハウジングに内嵌支持した状態では、上記絶縁層６が、これら外輪３とハウジングとを絶縁する。この結果、これら外輪３とハウジングとの間に電流が流れなくなり、上記転がり軸受の構成各部材１、３、５に、上述した様な電食が発生しなくなる。
【０００４】
ところで、転がり軸受を構成する内輪１或いは外輪３の一部表面に、当該内輪１或いは外輪３を組み込んだ転がり軸受の性能、或いは、製造番号、ロット番号等を表す文字若しくは符号を記載する事が行なわれている。一般的な転がり軸受の場合には、図１０に示す様に、内輪１又は外輪３の軸方向端面に、上記文字若しくは符号（同図に「＊＊＊＊００１」で表した部分）を、レーザマーカ、エアマーカ（圧縮空気により回転駆動される、ドリル状の微小刃物）、打刻により刻印する事が、例えば特許文献４に記載されている様に、従来から行なわれている。又、特許文献５には、外輪の一部に、当該外輪の組み付け方向をけがき線等により表示する事が記載されている。
【０００５】
上述した図１０に示した様な、内輪１或いは外輪３の軸方向端面に文字若しくは符号を記載する構造を、前述の図９に示した様な電食防止用絶縁転がり軸受に適用しても、当該文字若しくは記号が絶縁層６で覆われて判別できなくなる可能性がある。又、仮に判別できたとしても、刻印に伴って生じたエッジ（尖鋭端）が放電の起点となり易く、放電が生じた場合には、転がり軸受に電食に基づく損傷が発生する。
【０００６】
【特許文献１】特開平１−１８２６２１号公報
【特許文献２】特開平５−５２２２３号公報
【特許文献３】特開平５−３１２２１６号公報
【特許文献４】特開２００５−４２８９５号公報（段落０００３）
【特許文献５】特開２００５−２１４３４８号公報（段落００４０）
【発明の開示】
【発明が解決しようとする課題】
【０００７】
本発明は、上述の様な事情に鑑みて、性状若しくは履歴に関する情報を表す文字若しくは符号の刻印に拘らず、電食防止性能が低下する事がない電食防止用絶縁転がり軸受を実現すべく発明したものである。
【課題を解決するための手段】
【０００８】
本発明の電食防止用絶縁転がり軸受は、何れも、内周面に外輪軌道を有する金属製の外輪と、外周面に内輪軌道を有し、この外輪の内径側にこの外輪と同心に配置された金属製の内輪と、この内輪軌道と上記外輪軌道との間に転動自在に設けられた、それぞれが金属製である複数個の転動体とを備える。
【０００９】
又、請求項１に記載した電食防止用絶縁転がり軸受の場合には、上記外輪と上記内輪とのうちの少なくとも一方を被覆軌道輪とし、この被覆軌道輪の表面のうちで、上記外輪軌道又は上記内輪軌道である軌道面を設けた軌道側周面以外の面を絶縁層により被覆している。
特に、請求項１に記載した電食防止用絶縁転がり軸受に於いては、上記軌道側周面の一部で上記軌道面から外れた部分に、当該軌道側周面を有する被覆軌道輪を含む転がり軸受の性状若しくは履歴に関する情報を表す、文字若しくは符号を刻印している。
【００１０】
この様な請求項１に記載した電食防止用絶縁転がり軸受を実施する場合に、例えば請求項２に記載した様に、上記各転動体を保持する円環状の保持器を備える。そして、上記文字若しくは符号は、この保持器により覆われる部分に刻印する。
又、上述の様な請求項１に記載した電食防止用絶縁転がり軸受を実施する場合に、好ましくは、請求項３に記載した様に、上記被覆軌道輪に関して、軸方向端面のうちの径方向の一部で軌道面を設けた周面寄り部分に、この軸方向端面よりも軸方向に凹んだ凹入部分を、全周に亙って設ける。そして、上記絶縁層は、この軸方向端面からこの凹入部分迄連続して被覆する。
この様な請求項３に記載した電食防止用絶縁転がり軸受を実施する場合に、より好ましくは、請求項４に記載した様に、上記軸方向端面と上記凹入部分との連続部を、頂角が１３５度以下の尖鋭端としない。具体的には、頂角を１３５度を上回る角度（例えば１５０度以上）とするか、連続部を断面円弧形の凸曲面とする。且つ、上記凹入部分の径方向両端縁のうち、軌道面を設けた周面寄りの端縁を、上記軸方向端面よりも、１mm以上軸方向内方に位置させる。
【００１１】
又、請求項５に記載した電食防止用絶縁転がり軸受の場合には、前記外輪と前記内輪とのうちの一方の軌道輪のみを被覆軌道輪とする。そして、この被覆軌道輪の表面のうちで、前記外輪軌道又は前記内輪軌道である軌道面を設けた軌道側周面以外の面を、絶縁層により被覆する。これに対して、上記外輪と上記内輪とのうちの他方の軌道輪を、何れの面も絶縁層により覆われていない露出軌道輪とする。
特に、請求項５に記載した電食防止用絶縁転がり軸受に於いては、上記露出軌道輪の一部表面でこの露出軌道輪の周面に形成した軌道面以外の部分に、この露出軌道輪を含む転がり軸受の性状若しくは履歴に関する情報を表す文字若しくは符号を刻印する。
この様な請求項５に記載した電食防止用絶縁転がり軸受を実施する場合に好ましくは、請求項６に記載した様に、上記被覆軌道輪のうちで軌道面を設けた周面の一部でこの軌道面から外れた部分に、露出軌道輪の表面に刻印した文字若しくは符号と対応する、第二の文字若しくは符号を刻印する。尚、この様な請求項５〜６に記載した電食防止用絶縁転がり軸受を実施する場合も、上述の請求項２〜４に記載した様な構造を採用できる。
【発明の効果】
【００１２】
上述の様に構成する本発明の電食防止用絶縁転がり軸受の場合には、電食防止性能を低下させる事なく、性状若しくは履歴に関する情報を表す文字若しくは符号の刻印を設けられる。即ち、この刻印を、軌道輪の表面のうちで絶縁層により被覆されない部分、即ち、相手面との間の絶縁を必要としない部分に設けているので、上記刻印の存在により上記電食防止性能が損なわれる事はない。この為、電食防止用絶縁転がり軸受本来の性能を確保しつつ、この電食防止用絶縁転がり軸受の品質管理を効果的に図れる。
【発明を実施するための最良の形態】
【００１３】
［実施の形態の第１例］
図１は、請求項１〜２に対応する、本発明の実施の形態の第１例を示している。本例の電食防止用絶縁転がり軸受７は、外周面に内輪軌道２を形成した内輪１と、内周面に外輪軌道４を形成した外輪３とを同心に配置すると共に、これら内輪軌道２と外輪軌道４との間に複数の転動体５、５を、保持器８により保持した状態で、転動自在に設けている。又、上記内輪１の内周面及び軸方向両端面に内径側絶縁層９を形成して、この内輪１を回転軸等の内径側相手部材に外嵌固定した状態で、これら内輪１と内径側相手部材との間に電流が流れない様にしている。又、外輪３の外周面及び軸方向両端面に外径側絶縁層１０を形成して、この外輪３をハウジング等の外径側相手部材に内嵌固定した状態で、これら外輪３と外径側相手部材との間に電流が流れない様にしている。上記内径側、外径側両絶縁層９、１０として本例の場合には、セラミック溶射層を使用している。
【００１４】
この様な電食防止用絶縁転がり軸受の場合、何れも特許請求の範囲に記載した被覆軌道輪である、上記内輪１を金属製の回転軸に外嵌固定すると共に、上記外輪３を金属製のハウジングに内嵌固定した状態では、上記内径側、外径側両絶縁層９、１０が、このハウジングと上記回転軸との間を絶縁する。この結果、これらハウジングと回転軸との間に電流が流れなくなり、上記転がり軸受の構成各部材１、３、５に、前述した様な電食が発生しなくなる。
【００１５】
本例の場合には、上述の様な電食防止用絶縁転がり軸受７を構成する、上記内輪１の一部外周面と、上記外輪３の一部内周面とに、この電食防止用絶縁転がり軸受７の性状若しくは履歴に関する情報を表す文字若しくは符号である表示１１ａ、１１ｂを刻印している。先ず、上記外輪３に関しては、この外輪３の内周面中間部に形成した外輪軌道４を軸方向両側から挟む１対の外輪肩部１２、１２のうちの一方｛図１の（Ｃ）の右方｝の外輪肩部１２の内周面に、上記表示１１ａを、エアマーカ或いはレーザマーカにより刻印している。又、上記内輪１に関しては、この内輪１の外周面中間部に形成した内輪軌道２を軸方向両側から挟む１対の内輪肩部１３、１３のうちの一方｛図１の（Ｄ）の右方｝の内輪肩部１３の外周面に、上記表示１１ｂを、同様の方法により刻印している。これら両刻印１１ａ、１１ｂは、放電の起点となって電食防止性能に悪影響を及ぼす可能性をできるだけ低く抑える為に、上記両軌道２、４に悪影響を及ぼさない範囲で、極力上記内輪１及び上記外輪３の軸方向中央寄り部分に刻印する。従って、上記内輪肩部１３の外周面及び上記外輪肩部１２の内周面で、上記両表示１１ａ、１１ｂを刻印した部分は、上記電食防止用絶縁転がり軸受７を組み立てた状態で、前記保持器８により覆われる。
【００１６】
上述の様に構成する本例の電食防止用絶縁転がり軸受７の場合には、電食防止性能を低下させる事なく、性状若しくは履歴に関する情報を表す文字若しくは符号の表示１１ａ、１１ｂを刻印できる。即ち、上記内輪１及び上記外輪３の何れに就いても、これら両表示を、これら内輪１及び外輪３の周面のうちで内径側、外径側両絶縁層９、１０により被覆されない部分、即ち、相手面である回転軸或いはハウジングとの間の絶縁を必要としない部分に設けているので、上記表示１１ａ、１１ｂの刻印の存在により上記電食防止性能が損なわれる事はない。又、これら表示１１ａ、１１ｂは、上記保持器８により覆われてはいるが、この保持器８を径方向に押し動かす事で確認できるし、仮に上記電食防止用絶縁転がり軸受７に何らかの問題が生じた場合には、当該電食防止用絶縁転がり軸受７を分解する事で確認できる。この為、電食防止用絶縁転がり軸受７本来の性能を確保しつつ、この電食防止用絶縁転がり軸受７の品質管理を効果的に図れる。
【００１７】
［実施の形態の第２例］
図２〜３は、請求項１〜３に対応する、本発明の実施の形態の第２例を示している。本例の場合には、外輪３の軸方向両端面１４、１４と内周面１５との間に、この外輪３の中心軸に対し４５度傾斜した、部分円すい凹面状の面取り部１６、１６を形成している。これら両面取り部１６、１６部分が、特許請求の範囲に記載した凹入部分となる。そして、上記両面取り部１６、１６の外周縁と上記軸方向両端面１４、１４との連続部１７、１７を、断面形状が部分円弧状で、曲率半径ｒが１mm以上である、凸曲面１８としている。又、上記両面取り部１６、１６の内周縁部分（に被覆した外径側絶縁層１０の表面）と上記軸方向両端面１４、１４（に被覆したこの外径側絶縁層１０の表面）との、上記外輪３の軸方向に関する距離（＝上記面取り部１６の内周縁部分を被覆した外径側絶縁層１０の表面とハウジング１９との距離）Ｌを、１mm以上確保している。電食防止用絶縁転がり軸受７ａの性状若しくは履歴に関する情報を表す文字若しくは符号である表示は、上述した実施の形態の第１例の場合と同様に、外輪肩部１２の内周面｛図１の（Ｃ）参照｝に刻印している。
【００１８】
上述の様に構成する本例の構造によれば、上記外輪３と、この外輪３と接触した、導電材製のハウジング１９との間を電流が流れようとした場合でも、このハウジング１９と対向する上記連続部１７への電流の集中程度は限られる。即ち、この連続部１７は、断面形状の曲率半径ｒが１mm以上の部分円弧状の凸曲面１８であり、尖鋭端ではないので、上記連続部１７に電流が集中する程度を抑えられる。この為、汎用或は鉄道車両用の電動モータの回転軸、或は発電機の回転軸の回転支持部に組み込んだ電食防止用絶縁転がり軸受に加わる程度の電圧（ＤＣ１０００Ｖ以下）であれば、上記連続部１７と上記ハウジング１９との間でスパークが発生する事は殆どなくなる。この為、電食防止用絶縁転がり軸受の耐久性を十分に確保できる。
【００１９】
尚、本発明者が、上記曲率半径ｒを、０．６mm、１．０mm、１．２mm、１．５mmの４段階に変化させて、上記外輪３と上記ハウジング１９との間に１０００Ｖの直流電圧を印加した場合に、上記曲率半径ｒが、０．６mmの場合には、上記連続部１７部分でスパークが発生したのに対して、この曲率半径ｒが、１．０mm、１．２mm、１．５mmである場合には、スパークは発生しなかった。尚、実験では、外径側絶縁層１０の材質をホワイトアルミナとし、厚さを０．２mmとした。又、上記面取り部１６の内周縁部分を被覆したこの外径側絶縁層１０の表面と上記ハウジング１９との距離Ｌは１．０mmとした。
【００２０】
この様な実験からも明らかな通り、本例の構造の場合には、上記外径側絶縁層１０を特に厚くしなくても（例えば０．５mm以下、更には０．３mm以下としても）、上記外輪３と上記導電材製のハウジング１９との間でスパークが発生する事を防止できる。この為、使用条件が厳しい場合にも電食を十分効果的に防止できる電食防止用絶縁転がり軸受を、低コストで実現できる。尚、上記連続部１７の断面形状の曲率半径ｒは、好ましくは２mm以上とする。即ち、この曲率半径ｒの値は、上記面取り部１６の内周縁部分を被覆した上記外径側絶縁層１０の表面と上記ハウジング１９との距離Ｌを１mm以上（好ましくは２mm以上）確保できる限り、大きくする事が好ましい。この距離Ｌを確保できる限り、曲率半径ｒとして、１００mmと言った、大きな値を採用する事もできる。
本例の場合には、前述した実施の形態の第１例とは異なり、内輪１には内径側絶縁層を設けていないが、設ける事は自由である。その他の部分の構成及び作用は、上記実施の形態の第１例と同様であるから、重複する説明は省略する。
【００２１】
［実施の形態の第３例］
図４も、請求項１〜３に対応する、本発明の実施の形態の第３例を示している。本実施例の場合には、被覆軌道輪である外輪３の軸方向端面１４の内径寄り部分に形成した凹入部分を、この外輪３の中心軸に対する傾斜角度が互いに異なり、それぞれの母線形状が直線である、複数（図示の例では３個）の部分円すい凹面２０ａ、２０ｂ、２０ｃを連続させたものとしている。そして、隣接する部分円すい凹面２０ａ、２０ｂ、２０ｃ同士の交差角度、及び、最も外径側に存在する部分円すい凹面２０ｃと上記軸方向端面１４との連続部１７ａ、１７ｂ、１７ｃの頂角を、何れも１５０度以上（更に好ましくは１６５度以上）としている。又、本例の場合には、最も内径寄りに存在する上記部分円すい凹面２０ａの内周縁を被覆した外径側絶縁層１０の表面とハウジング１９との距離Ｌを、１mm以上（好ましくは２mm以上）確保している。電食防止用絶縁転がり軸受の性状若しくは履歴に関する情報を表す文字若しくは符号である表示は、前述した実施の形態の第１例及び上述した実施の形態の第２例の場合と同様に、外輪肩部１２の内周面｛図１の（Ｃ）参照｝に刻印している。
【００２２】
上述の様に構成する本例の構造によっても、上記外輪３と、この外輪３と接触した、導電材製のハウジング１９との間を電流が流れようとした場合に於ける、このハウジング１９と対向する上記各連続部１７ａ、１７ｂ、１７ｃへの電流の集中程度は限られる。即ち、これら各連続部１７ａ、１７ｂ、１７ｃは、頂角が１５０度以上（更に好ましくは１６５度以上）であり、尖鋭端ではないので、上記各連続部１７ａ、１７ｂ、１７ｃに電流が集中する事はなく、電食防止用絶縁転がり軸受の耐久性を十分に確保できる。尚、上記各連続部１７ａ、１７ｂ、１７ｃの頂角は、上記部分円すい凹面２０ａの内周縁を被覆した上記外径側絶縁層１０の表面とハウジング１９との距離Ｌを１mm以上（好ましくは２mm以上）確保できる限り、大きくする事が好ましい。逆に言えば、上記各連続部１７ａ、１７ｂ、１７ｃの頂角が１７５度を超えると、上記距離Ｌを確保する事が難しくなる。従って、これら各連続部１７ａ、１７ｂ、１７ｃの頂角は、１７５度以下に抑える事が現実的である。外径側絶縁層１０の厚さが０．５mm未満、特に０．３mm未満の場合に、上記頂角を大きくする事による効果が顕著になる事は、前述した実施の形態の第２例の場合と同様である。
【００２３】
［実施の形態の第４例］
図５も、請求項１〜３に対応する、本発明の実施の形態の第４例を示している。本例の場合には、被覆軌道輪である外輪３の軸方向端面１４の内径寄り部分に形成した凹入部分を、母線形状が直線である単一の部分円すい凹面２０としている。そして、この部分円すい凹面２０と、上記外輪３の軸方向端面１４との連続部１７ｄの頂角を、１５０度以上としている。この様な本例の場合も、この連続部１７ｄとハウジング１９との間でスパークが発生する事を防止して、電食防止用絶縁転がり軸受の耐久性を十分に確保できる。電食防止用絶縁転がり軸受の性状若しくは履歴に関する情報を表す文字若しくは符号である表示は、前述した実施の形態の第１〜２例及び上述した実施の形態の第３例の場合と同様に、外輪肩部１２の内周面｛図１の（Ｃ）参照｝に刻印している。その他の部分の構成及び作用は、前述の実施の形態の第１〜２例及び上述の実施の形態の第３例と同様である。
【００２４】
［実施の形態の第５例］
図６も、請求項１〜３に対応する、本発明の実施の形態の第５例を示している。本例の場合には、被覆軌道輪である外輪３の軸方向端面１４の内径寄り部分に形成した凹入部分を、母線形状が部分円弧状の凸曲面１８ａとしている。そして、上記軸方向端面１４の母線を、この凸曲面１８ａの母線の接線方向に配置している。この様な本例の場合も、この凸曲面１８ａと上記軸方向端面１４との連続部１７を含め、上記外輪３とハウジング１９との間でスパークが発生する事を防止して、電食防止用絶縁転がり軸受の耐久性を十分に確保できる。電食防止用絶縁転がり軸受の性状若しくは履歴に関する情報を表す文字若しくは符号である表示は、前述した実施の形態の第１〜３例及び上述した実施の形態の第４例の場合と同様に、外輪肩部１２の内周面｛図１の（Ｃ）参照｝に刻印している。その他の部分の構成及び作用は、前述の実施の形態の第１〜３例及び上述の実施の形態の第４例と同様である。
【００２５】
［実施の形態の第６例］
図７は、請求項５〜６に対応する、本発明の実施の形態の第６例を示している。本例の場合には、内輪１の内周面及び軸方向両端面を内径側絶縁層９により被覆しているが、外輪３の表面には絶縁層を被覆せず、この外輪３を構成する金属材料（軸受鋼）を露出させている。即ち、本例の場合には、上記内輪１を特許請求の範囲に記載した被覆軌道輪とし、上記外輪３を露出軌道輪としている。そして、この外輪３の軸方向端面に、この外輪３を含む電食防止用絶縁転がり軸受７ｂの性状若しくは履歴に関する情報を表す文字若しくは符号を表す表示１１ｃを刻印している。更に本例の場合には、上記内輪１の内輪肩部１３の外周面に、上記外輪３に刻印した上記表示１１ｃと対応する、第二の文字若しくは符号の表示１１ｄを刻印している。
【００２６】
本例の場合、回転軸とハウジングとの間の絶縁は、上記内径側絶縁層９のみで図る。上記外輪３とハウジングとの間は絶縁しない。この様な本例の場合、上記両表示１１ｃ、１１ｄの刻印は、相手面である回転軸或いはハウジングとの間の絶縁を必要としない部分に設けているので、上記表示１１ｃ、１１ｄの刻印の存在により上記電食防止性能が損なわれる事はない。上記外輪３に刻印した上記表示１１ｃは、この外輪３の軸方向端面の目立つ部分に設けている為、上記電食防止用絶縁転がり軸受７ｂの品質管理等を容易に行なえる。
【００２７】
又、本例の場合には、上記被覆軌道輪である内輪１に、上記外輪３に刻印した上記表示１１ｃと対応する表示１１ｄを刻印している為、上記電食防止用絶縁転がり軸受７ｂの使用状態で、上記内輪１と上記外輪３とを正しく対応させる事ができる。例えば、この電食防止用絶縁転がり軸受７ｂが円すいころ軸受である場合、軸受工場で造った電食防止用絶縁転がり軸受７ｂを、分解した状態で電動モータ、発電機等の製造工場に運び、この製造工場で組み立てる事がある。この様な場合に上記表示１１ｄを刻印しておけば、上記内輪１と上記外輪３とを正しく対応させて、上記電食防止用絶縁転がり軸受７ｂの性能を十分に発揮させる事ができる。その他の部分の構成及び作用は、前述の実施の形態の第１例と同様である。尚、本例に関しても、内径側絶縁層９の端縁部の形状を（径方向に関する内外を逆にして）前述の図２〜６に示す様な形状とする事が好ましい。
【００２８】
［実施の形態の第７例］
図８も、請求項５〜６に対応する、本発明の実施の形態の第７例を示している。本例の場合には、外輪３の外周面及び軸方向両端面を外径側絶縁層１０により被覆しているが、内輪１の表面には絶縁層を被覆せず、この内輪１を構成する金属材料（軸受鋼）を露出させている。即ち、本例の場合には、上記外輪３を特許請求の範囲に記載した被覆軌道輪とし、上記内輪１を露出軌道輪としている。そして、この内輪１の軸方向端面に、この内輪１を含む電食防止用絶縁転がり軸受７ｃの性状若しくは履歴に関する情報を表す文字若しくは符号を表す表示１１ｃを刻印している。更に本例の場合には、上記外輪３の外輪肩部１２の内周面に、上記内輪１に刻印した上記表示１１ｃと対応する、第二の文字若しくは符号の表示１１ｄを刻印している。被覆軌道輪と露出軌道輪とが内外逆になった以外の構成及び作用は、上述した実施の形態の第６例の場合と同様である。本例に関しても、上記外径側絶縁層の端縁部の形状を、前述の図２〜６に示す様な形状とする事が好ましい。
【産業上の利用可能性】
【００２９】
本発明を実施する場合に、各実施例を組み合わせて実施する事もできる。又、本発明は、図示の様な単列深溝型の玉軸受に限らず、アンギュラ型、複列等、他の型式の玉軸受や、円すいころ軸受、円筒ころ軸受、自動調心ころ軸受等、他の型式の転がり軸受で実施する事もできる。
【図面の簡単な説明】
【００３０】
【図１】本発明の実施の形態の第１例を示しており、（Ａ）は全体の断面図、（Ｂ）は側面図、（Ｃ）は外輪の断面図、（Ｄ）は内輪を（Ｂ）の側方から見た図。
【図２】本発明の実施の形態の第２例を、ハウジングに装着した状態で示す部分断面図。
【図３】図２のＸ部拡大図。
【図４】本発明の実施の形態の第３例を示す、図３と同様の図。
【図５】同第４例を示す、図３と同様の図。
【図６】同第５例を示す、図３と同様の図。
【図７】同第６例を示しており、（Ａ）は全体を示す側面図、（Ｂ）は内輪を取り出して（Ａ）の側方から見た図。
【図８】同第７例を示しており、（Ａ）は全体を示す側面図、（Ｂ）は外輪を取り出して示す断面図。
【図９】従来構造の第１例を示す半部断面図。
【図１０】同第２例を示す側面図。
【符号の説明】
【００３１】
１    内輪
２    内輪軌道
３    外輪
４    外輪軌道
５    転動体
６    絶縁層
７、７ａ、７ｂ、７ｃ  電食防止用絶縁転がり軸受
８    保持器
９    内径側絶縁層
１０    外径側絶縁層
１１ａ、１１ｂ、１１ｃ  表示
１２    外輪肩部
１３    内輪肩部
１４    端面
１５    内周面
１６    面取り部
１７、１７ａ、１７ｂ、１７ｃ、１７ｄ  連続部
１８、１８ａ  凸曲面
１９    ハウジング
２０、２０ａ、２０ｂ、２０ｃ  部分円すい凹面
【図１】
2008020035.tif 000003
【図２】
2008020035.tif 000004
【図３】
2008020035.tif 000005
【図４】
2008020035.tif 000006
【図５】
2008020035.tif 000007
【図６】
2008020035.tif 000008
【図７】
2008020035.tif 000009
【図８】
2008020035.tif 000010
【図９】
2008020035.tif 000011
【図１０】
2008020035.tif 000012